(57)【特許請求の範囲】
【請求項１】
壁構造材と室内壁との間に、床下空間と屋根裏に連通する内部通気層が設けられた建物の、前記床下空間と前記内部通気層との境界部に配設される床下通気制御装置であって、
該床下通気制御装置は、
前記建物の土台に固定されると共に、前記内部通気層に連通する連通部が形成された第１の部材と、
該第１の部材に挿抜可能に取り付けられる第２の部材と、を具備し、
該第２の部材は、
前記第１の部材の連通部に連通すると共に、前記連通部に挿抜自在な差込連結部と、
前記床下空間に連通する複数の連通孔が並設されると共に、前記差込連結部に連通して設けられた本体部と、
該本体部にスライド可能に設けられ、複数の貫通孔が並設されて、前記本体部に対してスライドすることにより、前記本体部の連通孔を開閉する遮蔽板と、
一端が前記本体部に固定され、他端が前記遮蔽板に固定されたバイアスバネ体と、
一端が前記本体部に固定され、他端が前記遮蔽板に固定され、外気温の変動によりバネ圧が変動し、前記バイアスバネ体のバネ圧との差により前記遮蔽板を前記本体部に対してスライド移動させる形状記憶合金からなるバネ体とを具備することを特徴とする床下通気制御装置。
【請求項２】
前記差込連結部は、前記本体部に対する取付角度が調節可能に形成されていることを特徴とする請求項１記載の床下通気制御装置。
【請求項３】
前記連通部には、前記差込連結部の差込位置をガイドするガイド体が形成されていることを特徴とする請求項１または２記載の床下通気制御装置。
【請求項４】
前記差込連結部は、前記連通部への差込部分が所要間隔をあけて配設された複数の筒状体に形成されていて、当該複数の筒状体間の隙間部分に前記ガイド体が嵌入可能であることを特徴とする請求項３記載の床下通気制御装置。
【請求項５】
前記第１の部材には、前記第１の部材に前記差込連結部の差込部分を差し込んだ状態において、前記本体部を前記差込連結部に対して屈曲させた際に、前記本体部の一部と前記第１の部材との干渉を防止するための切欠部が形成されていることを特徴とする請求項１〜４のうちのいずれか一項に記載の床下通気制御装置。
【請求項６】
壁構造材と室内壁との間に、床下空間と屋根裏に連通する内部通気層が設けられ、前記床下空間と前記内部通気層との間に配設された床下通気制御装置により、前記床下空間と前記内部通気層との連通状態を外気温に応じて連通・遮断制御する建築構造であって、
前記床下通気制御装置は、請求項１〜５のうちのいずれか一項に記載されたものであることを特徴とする建築構造。
【発明の詳細な説明】
【技術分野】
【０００１】
本発明は、床下空間と屋根裏を連通する内部通気層が設けられた建物に配設される床下通気制御装置およびこれを具備する建築構造に関する。
【背景技術】
【０００２】
本発明者は、外気を建物の通気層に取り入れることにより、木材等の構造材の蒸れを防止して建築物の耐久性を高め、住環境を好適に維持することを可能にしたいわゆる通気断熱構造を備えた建築構造について提案している。また、本発明者は、このような通気断熱構造を備えた建築構造を実現させるために用いて好適な通気制御装置の提案も行っている。このような通気制御装置およびこれを用いた建築構造としては例えば特許文献１に記載されたものがある。
【先行技術文献】
【特許文献】
【０００３】
【特許文献１】特開２００８−２３１８２０号公報
【０００４】
特許文献１には、床下空間と屋根裏に連通する内部通気層が設けられた建物に配設され、床下空間と内部通気層とを連通させる連通部および通気路が形成された本体部と、連通部の少なくとも一方側に配設され、板厚方向に貫通して形成された貫通孔の位置により連通部を開放状態と閉止状態に切り替える遮蔽板と、貫通孔の位置を閉止位置と開放位置との間でスライドさせる開閉機構を備え、開閉機構は形状記憶合金のバネ体とバイアスバネ体を有し、外気温に応じて相互間に生じるバネ圧の差により、遮蔽板をスライドさせて床下空間と内部通気層との通気を制御する構造が開示されている。
【発明の開示】
【発明が解決しようとする課題】
【０００５】
特許文献１に開示されているような床下通気制御装置には、可動部分があり、可動部分の故障の発生は不可避である。もし、可動部分に故障が発生した場合には、床を壊して床下空間の床下通気制御装置にアクセスするか、作業者が直接床下空間に潜り込んで床下通気制御装置にアクセスする必要があるが、いずれの場合においても課題を抱えている。
【０００６】
まず、床を壊して床下通気制御装置にアクセスする場合については、床下通気制御部材の交換費用が莫大になるため現実的ではない。そこで、ほとんどの場合においては、作業者が直接床下空間に潜り込んでのアクセス方法が採用されることになるが、狭い床下空間における床下通気制御装置の交換作業や動作確認作業は困難である。また、床下通気制御装置には、床下空間の基礎と同様に断熱材が取り付けられていることが多く、床下通気制御装置の部品交換作業や動作確認作業を行う際には、該当箇所の断熱材を取り除く必要がある。そして、部品交換作業や動作確認作業の後には断熱材の復旧が必要となるため、床下通気制御装置の部品交換および動作確認はきわめて煩雑な作業になることが多い。さらに、床下通気制御装置は、単位床面積あたりの配設個数が決められているため、床下通気制御装置は一般的な住宅であっても２０個以上配設されていることが多く、すべての床下通気制御装置の動作確認を行うことや交換作業を行うことは多大な労力を要するものであり、改善が強く望まれていた。
【０００７】
本発明は、以上に説明した課題を解決すべくなされたものであり、狭い床下空間における部品交換作業や動作確認作業を容易に行うことを可能にした床下通気制御装置およびこれを具備する建築構造を提供することを目的とする。
【課題を解決するための手段】
【０００８】
本発明は、上記目的を達成するため次の構成を備える。
すなわち、壁構造材と室内壁との間に、床下空間と屋根裏に連通する内部通気層が設けられた建物の、前記床下空間と前記内部通気層との境界部に配設される床下通気制御装置であって、該床下通気制御装置は、前記建物の土台に固定されると共に、前記内部通気層に連通する連通部が形成された第１の部材と、該第１の部材に挿抜可能に取り付けられる第２の部材と、を具備し、該第２の部材は、前記第１の部材の連通部に連通すると共に、前記連通部に挿抜自在な差込連結部と、前記床下空間に連通する複数の連通孔が並設されると共に、前記差込連結部に連通して設けられた本体部と、該本体部にスライド可能に設けられ、複数の貫通孔が並設されて、前記本体部に対してスライドすることにより、前記本体部の連通孔を開閉する遮蔽板と、一端が前記本体部に固定され、他端が前記遮蔽板に固定されたバイアスバネ体と、一端が前記本体部に固定され、他端が前記遮蔽板に固定され、外気温の変動によりバネ圧が変動し、前記バイアスバネ体のバネ圧との差により前記遮蔽板を前記本体部に対してスライド移動させる形状記憶合金からなるバネ体とを具備することを特徴とする床下通気制御装置である。
【０００９】
また、前記差込連結部は、前記本体部に対する取付角度が調節可能に形成されていることを特徴とする。これにより、第１の部材への第２の部材の挿抜作業をより簡単に行なうことができる。
【００１０】
また、前記連通部には、前記差込連結部の差込位置をガイドするガイド体が形成されていることを特徴とする。
また、前記差込連結部は、前記連通部への差込部分が所要間隔をあけて配設された複数の筒状体に形成されていて、当該複数の筒状体間の隙間部分に前記ガイド体が嵌入可能であることを特徴とする。
これらにより、一旦第１の部材から取り外した第２の部材を再度第１の部材に取り付けする際において、第１の部材に対する第２の部材の位置決めが容易になり、狭い床下空間内での作業効率が向上する。
【００１１】
また、前記第１の部材には、前記第１の部材に前記差込連結部の差込部分を差し込んだ状態において、前記本体部を前記差込連結部に対して屈曲させた際に、前記本体部の一部と前記第１の部材との干渉を防止するための切欠部が形成されていることを特徴とする。これにより、第１の部材に第２の部材が連結された状態においては、基礎と床下通気制御装置との隙間がなく、床下通気制御装置のがたつきの発生や、地震発生後による脱落のおそれを低下させることができる点で好都合である。
【００１２】
また、他の発明としては、壁構造材と室内壁との間に、床下空間と屋根裏に連通する内部通気層が設けられ、前記床下空間と前記内部通気層との間に配設された床下通気制御装置により、前記床下空間と前記内部通気層との連通状態を外気温に応じて連通・遮断制御する建築構造であって、上記のうちずれかに記載されている床下通気制御装置が配設されていることを特徴とする建築構造がある。
【発明の効果】
【００１３】
本発明に係る床下通気制御装置によれば、建築物側に固定した第１の部材に対して第２の部材が着脱可能に形成されているから、狭い床下空間における床下通気制御装置の可動部の部品交換および動作状況の確認作業を容易に行なうことができる。また、床下空間の基礎に配設されている断熱材は第１の部材のみに配設されているので、第２の部材のみを着脱することが可能な本願構成によれば、床下通気制御装置の部品交換や動作確認を行う際に断熱材の取り外しが不要になるため作業性の面においても、作業後における断熱性能の確保の点においても好都合である。
【図面の簡単な説明】
【００１４】
【図１】開閉機構付き地窓を用いた建物の通気断熱構造を示す説明図である。
【図２】床下通気制御装置を床下空間に配設した状態を示す側面図である。
【図３】本実施形態における床下通気制御装置の分離状態を示す斜視図である。
【図４】組立後の床下通気制御装置の背面側斜視図である。
【図５】組立後の床下通気制御装置の床下空間側からの正面図である。
【図６】遮蔽板が連通孔を閉塞した状態を示す床下空間側からの正面図である。
【図７】床下空間に配設した床下通気制御装置から第２の部材のみを取り外す際の状態を示す側面図である。
【図８】床下空間に配設した床下通気制御装置から第２の部材のみを取り外す際の状態を示す側面図である。
【図９】床下空間に配設した床下通気制御装置から第２の部材のみを取り外す際の状態を示す側面図である。
【発明を実施するための最良の形態】
【００１５】
以下、本発明の好適な実施の形態を、添付図面にしたがって詳細に説明する。
（通気断熱構造）
はじめに、本発明に係る通気制御装置を用いた建築構造（通気断熱構造）ついて説明する。図１に示す建物は、断熱材からなる壁構造材１０の外側に、壁構造材１０との間に通気層を設けて外壁１２を設置し、壁構造材１０の内側に、壁構造材１０との間に通気層を設けて室内壁１４を設置した構造を備える。壁構造材１０に沿って外壁１２と壁構造材１０とに挟まれた部位が外部通気層１６であり、壁構造材１０と室内壁１４とによって挟まれた部位が内部通気層１８である。
【００１６】
外壁１２の下端には通気制御装置１７が設けられている。この通気制御装置１７は外部通気層１６における通気を制御するためのものであり、通気制御装置１７を開くことにより外部通気層１６では下方から上方に向けて通気され、通気制御装置１７を閉止することによって外部通気層１６での通気が遮断される。通気制御装置１７は、たとえば形状記憶合金を用いたモジュールを利用して構成することができる。通気制御装置１７は、夏期のように外気温が高いときには開放され、冬期のように外気温が低いときには閉止するように制御される。
【００１７】
一方、室内壁１４および床材１５は、基礎２０に支持された土台２２との間に開口部を設けて取り付けられている。内部通気層１８は土台２２と室内壁１４および床材１５との間に設けた開口部を介して床下空間２３に連通する。
基礎２０には外部と連通する開口部２０Ａが形成され、開口部２０Ａに開閉機構付き地窓２１が取り付けられている。この開閉機構付き地窓２１は、開放位置と閉止位置との間で回動する遮蔽板を備え、形状記憶合金を用いた開閉機構モジュールを利用して遮蔽板を開放位置と閉止位置に回動することによって、夏期のように外気温が高いときには開放され、冬期のように外気温が低いときには閉止されるように制御される。
【００１８】
内部通気層１８と床下空間２３とを連絡する部位には、内部通気層１８と床下空間２３との連通状態を制御する本発明にかかる床下通気制御装置２４が設けられている。この床下通気制御装置２４もまた、形状記憶合金からなるバネ体６８Ａを用いた開閉機構６８を利用して通気部分を開閉制御する。床下通気制御装置２４もまた、開閉機構付き地窓２１と同様にして内部通気層１８と床下空間２３との通気部分の開閉状態を制御する。
なお、形状記憶合金からなるバネ体６８Ａを利用した開閉機構６８は、形状記憶合金からなるバネ体６８Ａと、通常の弾性材からなるバイアスバネ体６８Ｂとを互いの弾性力（引っ張り力、バネ圧と呼ばれることもある）が逆向きとなるように取り付け、夏期のように外気温が高くなったときには形状記憶合金からなるバネ体６８Ａによる弾性力が通常の弾性材からなるバイアスバネ体６８Ｂの弾性力を上回るように設定し、その弾性力の差を、床下通気制御装置２４の駆動力として利用している。
【００１９】
居住室１３は、透湿性を備えた材料からなる室内壁１４、床材１５および天井１９によって形成され、内部通気層１８は室内壁１４の上部で天井１９の上方の小屋裏２５に連通する。小屋裏２５には屋根２６の下方に屋根２６と同形態に断熱材からなる小屋裏材２８が設けられている。こうして、居住室１３は内部通気層１８および小屋裏２５によって囲まれた構造となる。
小屋裏２５の頂部には、屋根２６と小屋裏２５とを連通する開口部２５Ａが設けられ、小屋裏２５と屋根裏３０とは開口部２５Ａを介して連通する。
【００２０】
屋根裏３０に連通して設けられている軒先３２にも形状記憶合金からなるバネ体を利用した通気制御装置３４が取り付けられている。通気制御装置３４は軒先３２に設けた開口部に取り付けられ、外気温が高いときには軒先３２の内外を連通させ、外気温が低いときには軒先３２の内外の連通を遮断するように作用する。
【００２１】
屋根裏３０の棟部分には開口部３０Ａが設けられ、この開口部３０Ａを覆うように屋根２６の棟の上部にハット部材３６が設置されている。ハット部材３６は開口部３０Ａに雨風が進入しないように保護するとともに、開口部３０Ａを介して屋根裏３０と戸外とが連通するように設けられている。ハット部材３６の内部には遮蔽板を開閉して屋根裏３０と戸外との連通を断続する形状記憶合金からなるバネ体を利用した通気制御装置３７が設けられている。
【００２２】
以上説明したように、本実施形態の建築構造では、居住室１３の周囲に設けた内部通気層１８と床下空間２３とを連通可能とし、内部通気層１８を小屋裏２５に連通させ、小屋裏２５と屋根裏３０とを連通させることによって建物全体に通気構造を設け、通気制御装置１７，３４，３７と開閉機構付き地窓２１と、床下通気制御装置２４を開閉制御することによって、居住室１３における住環境を通年にわたって良好な環境に維持することができる。
【００２３】
すなわち、夏期のような高温で多湿になる時期（図１のＡ−Ａ線の左半部に示す）においては、床下通気制御装置２４、開閉機構付き地窓２１および通気制御装置１７、３４、３７がいずれも開放され、外部通気層１６においては通気層内で温められた空気が上昇気流となって熱気が外部に放出され、内部通気層１８では開閉機構付き地窓２１から床下空間２３に外気が流入し、床下通気制御装置２４、小屋裏２５、屋根裏３０を経由してハット部材３６から戸外に流出する。屋根裏３０では軒先３２から空気が流入し、軒先３２から棟側に向けて上昇流が生じる。
こうして、建築物全体が通気循環状態となり、居住室１３においては室内壁１４から内部通気層１８へ熱気、湿気が透過し、室内環境が快適な状態に維持されるようになる。
【００２４】
また、冬期のように外気温が低くなった場合（図１のＡ−Ａ線の右半部に示す）には、開閉機構付き地窓２１、床下通気制御装置２４および、通気制御装置１７，３４，３７がいずれも閉止状態になり、外部通気層１６および内部通気層１８における通気がなされない状態になる。外部通気層１６および内部通気層１８での通気がなされなくなると、通気層は保温層として作用し、居住室１３内で保温された空気は戸外に排出されず、建物全体が保温される。床下空間２３は地熱によって温められ、建築物の保温に寄与する。こうして居住室１３は暖かく保温され、快適な住空間として維持される。
【００２５】
（床下通気制御装置）
図２〜図６に、本実施形態における床下通気制御装置を示す。図２は、床下通気制御装置を床下空間に配設した状態を示す側面図である。図３は、本実施形態における床下通気制御装置の分離状態を示す斜視図である。図４は、組立後の床下通気制御装置の背面側斜視図である。図５は、組立後の床下通気制御装置の床下空間側からの正面図である。図６は、遮蔽板が連通孔を閉塞した状態を示す床下空間側からの正面図である。
【００２６】
床下通気制御装置２４は、図２〜図４に示すように、土台２２の床下空間２３側の側面に固定される第１の部材５０と、第１の部材５０に着脱自在であり、外気温の変化に応じて床下空間２３と内部通気層１８との連通状態をオンオフ切り替えする開閉機構６８が配設された第２の部材６０とを有している。
【００２７】
第１の部材５０について説明する。第１の部材５０は、第２の部材６０の差込連結部６６の差込部であると共に、内部通気層１８と床下空間２３とを連通させる連通部５２と、連通部５２よりも床下空間２３側の位置に、連通部５２よりも床下空間２３側へ所要距離を離反させた位置に断熱材７０を取り付けるための断熱材保持板５４とを有する変形筒状体に形成されている。連通部５２には差込連結部６６をガイドするためのガイド体５２Ａが形成されている。また、第１の部材５０の側壁面下部には切欠部５６が形成されている。この切欠部５６は、第１の部材５０に第２の部材６０を着脱する際に用いられ、第２の部材６０の本体部６４の上部角部形状に倣わせた形状に形成されている。第１の部材５０に形成された連通部５２の上面側開口部の外周縁のうち、土台２２に面する外周縁以外の外周縁には、連通部５２の上面開口部を取り囲むようにして起立壁５８が立設されている。起立壁５８の上面は平坦面に形成されていて、起立壁５８の上面には床材１５との密着性を高めるためのシール材としてスポンジ７２が接着され、起立壁５８の上面と、床材１５と連通部５２の上面開口部とが気密に仕切られている。
【００２８】
このようにして形成された第１の部材５０は、土台２２の上側側面部分にネジ止め等により固定される。土台２２の床下空間２３側の側面に第１の部材５０を取り付けすることにより、第１の部材５０の連通部５２の上面側開口部を内部通気層１８に連通させることができる。また、基礎２０の上面と第１の部材５０の下面との間には隙間部分が形成されることになる。この隙間部分には第２の部材６０が配設される。土台２２に取り付けられた第１の部材５０の断熱材保持板５４には断熱材７０が取り付けられる。断熱材７０は、床下空間２３側における基礎２０の表面に取り付けられる断熱材７０と同じものが用いられている。ここではパネル状に形成された断熱材７０が接着剤等により取り付けられる。
【００２９】
第２の部材６０について説明する。第２の部材６０は、床下空間２３に連通する連通孔６２が所要間隔をあけて複数箇所に配設されると共に、上面に連結部６３が形成された本体部６４と、本体部６４に配設され、板厚方向に貫通すると共に、所要間隔をあけて複数箇所に配設された貫通孔６５Ａを有する遮蔽板６５と、本体部６４に取り付けられ、第１の部材５０の連通部５２に差し込み可能な差込連結部６６と、外気温の変化に応じて本体部６４に対する遮蔽板６５の位置をスライド移動させるための開閉機構６８と、を有している。このように、本体部６４の連通孔６２と遮蔽板６５の貫通孔６５Ａとはそれぞれ同じ配設間隔で並設されている。
【００３０】
差込連結部６６は２つの筒状体６６Ａが所要間隔をあけた状態で立設されている。２つの筒状体６６Ａ，６６Ａ間の隙間部分６６Ｂに第１の部材５０の連通部５２に形成されたガイド体５２Ａが嵌合することにより、第１の部材５０に対する差込連結部６６の装着容易性を向上させている。
また、差込連結部６６の下部位置には接合ピンが形成され、筒状体６３の側壁部分には接合ピン用連結孔（いずれも図示せず）が形成されている。差込連結部６６と連結部６３とは、連結部６３の接合用ピン孔に差込連結部６６の連結ピンが嵌入することにより、連結部６３（本体部６４）に対する差込連結部６６の連結角度が調整可能な状態で連結されることになる。
このようにして本体部６４に連結された差込連結部６６は、第１の部材５０に形成された連通部５２内に挿通され、差込連結部６６の上面開口部は第１の部材５０の上面側開口部と共に内部通気層１８に開口することになる。このように第２の部材６０の連通孔６２から第１の部材５０の連通部５２の上面開口部までを連通させることにより、床下空間２３と内部通気層１８との間において空気の流通が可能になる。
【００３１】
また、本体部６４の背面部下側には遮蔽板６５を駆動させるための駆動力源となる開閉機構６８が収容されている。開閉機構６８は、外気温の変動により生じるバネ圧が異なる形状記憶合金製のバネ体６８Ａと、通常の鋼材からなり、バネ体６８Ａのバネ圧に対するバイアス力を付与するバイアスバネ体６８Ｂを有している。形状記憶合金製のバネ体６８Ａは、一端部が本体部６４に設けられた係合部６４Ａに取り付けられ、他端部が遮蔽板６５から本体部６４を貫通して配設した係合ピン６５Ｂに取り付けられている。また、鋼材からなるバイアスバネ体６８Ｂは、一端部が本体部６４に形成された係合部６４Ｂに取り付けられ、他端部が遮蔽板６５から本体部６４を貫通して配設した係合ピン６５Ｂに取り付けられている。このようなバネ体６８Ａとバイアスバネ体６８Ｂとを直列に連結した構造を採用することで、外気温の変化による両者のバネ圧に相違を生じさせ、係合ピン６５Ｂを移動させることで遮蔽板６５をスライド移動可能にしている。
【００３２】
本実施形態においては、外気温が所定温度以上になった場合に、遮蔽板６５に形成された貫通孔６５Ａの位置が本体部６４に形成された連通孔６２の位置に重複する（図５に示す状態）ように、また、外気温が所定温度以下になった場合に、遮蔽板６５に形成された貫通孔６５Ａの位置が本体部６４に形成された連通孔６２の位置からずれて、遮蔽板６５が連通孔６２を閉塞する（図６に示す状態）ようになっている。より具体的には、貫通孔６５Ａと連通孔６２は同一開口形状に形成されていると共に、並設間隔も同一間隔になっている。また、貫通孔６５Ａと連通孔６２の配設間隔は、貫通孔６５Ａの幅寸法よりも広い配設間隔に配設されている。バネ体６８Ａおよびバイアスバネ体６８Ｂは、遮蔽板６５のスライド量が貫通孔６５Ａの幅寸法と等しくなるようにそれぞれのバネ圧が調整されている。
【００３３】
このようにして形成された開閉機構６８は、基礎２０と土台２２との間に配設したスペーサ８０により形成された隙間部分により外部空気と直接接触可能な状態で配設されているので、バネ体６８Ａに外部空気の温度変化を正確に検出させることができる。なお、本実施形態における建物の床下空間２３と室外との連通は、床下通気制御装置２４を介してのみ連通させているため、開閉機構６８が面しない建物の基礎２０の上端部と建物の土台２２との間の隙間部分には図示しないコーキング材等により気密にシールされている。
【００３４】
（床下通気制御装置の交換）
開閉機構６８は、先述にもあるように室外気温の変化に伴って駆動力を生じる構成であるから、日格差が大きい地方においては、頻繁にバネ体６８Ａとバイアスバネ体６８Ｂが伸縮作動することがある。また、開閉機構６８は室外空気と直接接触させるように配設されているため、ゴミ等の侵入によりバネ体６８Ａとバイアスバネ体６８Ｂの伸縮動作が阻害されることもある。
このような状況下においては、きわめて稀にではあるものの、開閉機構６８が故障するおそれがあり、場合によっては床下通気制御装置２４の交換作業を行う必要がある。以下に、床下通気制御装置２４の交換方法について説明する。
【００３５】
図７〜図９は床下空間に配設した床下通気制御装置から第２の部材のみを取り外す際の状態を示す側面図である。
最初に床下空間２３に配設された床下通気制御装置２４は、図２に示されているように、床下通気制御装置２４を構成する第１の部材５０が土台２２に固定されていると共に、断熱材７０が取り付けられているが、第２の部材６０を構成する本体部６４と差込連結部６６との連結角度が調整可能に形成されているので、第１の部材５０はそのままの状態にしておき、開閉機構６８のような可動部を有する第２の部材６０のみを交換可能にしている点が、本発明の特徴点の一つである。
【００３６】
具体的には、図７に示すように、第１の部材５０の連通部５２に挿通されている差込連結部６６に対して本体部６４を屈曲させた状態にする。差込連結部６６に対する本体部６４の連結角度を屈曲させても、第１の部材５０の側面には切欠部５６が形成されているので、第１の部材５０から第２の部材６０を取り外す際に必要な屈曲角度までは第１の部材５０と本体部６４が干渉することはないのである。
このように、差込連結部６６に対して本体部６４が屈曲する連結状態にすることで、本体部６４の下面と基礎２０の上面との間に引抜用スペースを形成することができる。
【００３７】
次に、図８に示すように引抜用スペースを利用して、第２の部材６０全体を下側（引抜用スペース側）に移動させて、第１の部材５０の連通部５２から差込連結部６６を引き抜いた後、第２の部材６０全体を回転させながら床下空間２３側に引抜くようにすれば、図９に示すように第２の部材６０を取り外すことができる。このとき差込連結部６６を連通部５２から引き抜きつつ、差込連結部６６に対する本体部６４の連結角度を調整することで周辺の断熱材７０を傷めることなく、第２の部材６０を取り外しすることができる。作業者は、第１の部材５０から分離させた第２の部材６０について可動部である開閉機構６８の動作確認を行うことができ、必要に応じて新しい第２の部材６０に交換することもできる。第２の部材６０を第１の部材５０に装着する手順は、取り外し手順を逆の手順で行えばよい。
【００３８】
第２の部材６０の差込連結部６６は、筒状体６６Ａ間の隙間６６Ｂを第１の部材５０の連通部５２に配設されているガイド体５２Ａを嵌入させれば確実に第２の部材６０を適正位置に取り付けることができる。
このようにきわめて簡単な作業により床下通気制御装置２４の第２の部材６０を分離させることができるため、床下空間２３のような狭小な作業スペースであっても床下通気制御装置２４の動作確認や部品交換の作業を容易に行なうことができる点で好都合である。
【００３９】
以上に本実施形態に基づいて本願発明に係る床下通気制御装置およびこれを用いた建築構造について説明してきたが、本願発明は以上の実施形態に限定されるものではないのはもちろんである。
例えば、開閉機構６８のバネ体６８Ａとバイアスバネ体６８Ｂのバネ圧の設定は、夏季においてバネ体６８Ａのバネ圧をバイアスバネ体６８Ｂよりも大きくする形態としているが、逆のバネ圧の設定形態であってもよいのはもちろんである。要は、夏季と冬季におけるバネ体６８Ａとバイアスバネ体６８Ｂのバネ圧に差をもたせることにより、本体部６４の連通孔６２の位置に対して遮蔽板６５の貫通孔６５Ａの位置をスライドさせることができればよいのである。
【００４０】
また、本実施形態においては、第２の部材６０は、本体部６４と差込連結部６６とが回動自在に連結された構成について説明しているが、本体部６４と差込連結部６６とが回動しない形態であってもよい。このような第２の部材６０を採用した場合、本体部６４に対して差込連結部６６を斜めに連結しておく形態や、差込連結部６６を湾曲した筒状体に形成しておけば、第１の部材５０に対する第２の部材６０の連結角度を変更しなくても第１の部材５０から第２の部材６０を挿抜自在にすることは十分可能である。
【００４１】
また、本実施形態における第２の部材６０の差込連結部６６は、第１の部材５０の連通部５２への差込部分が所要間隔をあけて配設した２つの筒状体６６Ａにより形成されているが、３つ以上の筒状体６６Ａにより形成することもできる。このとき筒状体６６Ａ間の隙間部分６６Ｂのすべてに対してガイド体５２Ａを配設する必要はなく、少なくとも１箇所の隙間部分６６Ｂに嵌入可能なガイド体５２Ａが設けられていれば良い。また、差込連結部６６の第１の部材５０の連通部５２への差込部分は一つの筒状体６６Ａにより構成することもできる。この場合のガイド体５２Ａは、筒状体６６Ａの表面に形成された溝または凸部に嵌入可能な凸部または溝とすればよい。さらには、差込連結部６６の形態にかかわらず、ガイド体５２Ａの配設を省略することもできる。
【符号の説明】
【００４２】
１０  壁構造材
１２  外壁
１４  室内壁
１５  床材
１６  外部通気層
１８  内部通気層
２０  基礎
２０Ａ，２５Ａ，３０Ａ  開口部
２２  土台
２３  床下空間
２４  床下通気制御装置
５０  第１の部材
５２  連通部
５２Ａ  ガイド体
５４  断熱材保持板
５６  切欠部
６０  第２の部材
６２  連通孔
６３  連結部
６４  本体部
６４Ａ，６４Ｂ  係合部
６５  遮蔽板
６５Ａ  貫通孔
６５Ｂ  係合ピン
６６  差込連結部
６６Ａ  筒状体
６６Ｂ  隙間部分
６８  開閉機構
６８Ａ  バネ体
６８Ｂ  バイアスバネ体
７０  断熱材
７２  スポンジ
８０  スペーサ
【図１】
0005318842.tif 000002
【図２】
0005318842.tif 000003
【図３】
0005318842.tif 000004
【図４】
0005318842.tif 000005
【図５】
0005318842.tif 000006
【図６】
0005318842.tif 000007
【図７】
0005318842.tif 000008
【図８】
0005318842.tif 000009
【図９】
0005318842.tif 000010